(57)【要約】【課題】マットレスに傷みが発生し難い引出し付きのベッドを提供する。【解決手段】前側ヘッドボード１１と後側フットボード１２との間の左右いずれか一方に引出し２を装着したボックス１を配置すると共に他方の端部にサイドレール３を配置してある。ボックス１とサイドレール３によってヘッドボード１１とフットボード１２とを相互に連結して基台１５を形成してある。ボックス１の奥壁が前後方向の縦鉛直仕切板１ｂを形成し、仕切１ｂの一方を引出し用空間１３とし他方を空洞部１４としてある。ボックス１の天板１ａ上に、所定寸法Ｇの隙間７を介在させて前後に並べた天板用横板６を天板１ａ上に配置してある。基台１５のボックス天板１ａに、所定寸法Ｇの隙間７を介在させて天板用横板６を配置したので、隙間７によって通気性が生じ、その上に上載されるマットレス１６が腐食等によって傷むのを防止することができる。【選択図】図２
0003106818.tif 000002
【実用新案登録請求の範囲】
【請求項１】
前側ヘッドボード（１１）と後側フットボード（１２）との間の左右いずれか一方に引出し（２）を装着したボックス（１）を配置すると共に他方の端部にサイドレール（３）を配置し、
ボックス（１）とサイドレール（３）によってヘッドボード（１１）とフットボード（１２）とを相互に連結して基台（１５）を形成すると共にボックス（１）の奥壁が前後方向の縦鉛直仕切板（１ｂ）を形成し，仕切板（１ｂ）の一方を引出し用空間（１３）とし他方を空洞部（１４）とし、
ボックス（１）の天板（１ａ）上に，所定寸法（Ｇ）の隙間（７）を介在させて前後に並べた天板用横板（６）を配置したことを特徴とする引出し付きベッド。
【請求項２】
前側ヘッドボード（１１）と後側フットボード（１２）との間の左右いずれか一方に引出し（２）を装着したボックス（１）を配置すると共に他方の端部にサイドレール（３）を配置し、
ボックス（１）とサイドレール（３）によってヘッドボード（１１）とフットボード（１２）とを相互に連結して基台（１５）を形成すると共にボックス（１）の奥壁が前後方向の縦鉛直仕切板（１ｂ）を形成し，仕切板（１ｂ）の一方を引出し用空間（１３）とし他方を空洞部（１４）とし、
仕切板（１ｂ）の上縁とサイドレール（３）の上縁対向面にそれぞれ桟状受部材（１ｄ）と桟状受具（３ｄ）を配置し、
桟状受部材（１ｄ）と桟状受具（３ａ）上に載る左右の縦角材（５）に，所定寸法（Ｇ）の隙間（７）を介在させて前後に並べた空洞部用横板（６ｂ）を横架固着し、
ボックス（１）の天板（１ａ）上に，前記所定寸法（Ｇ）の隙間（７）を介在させて前後に並べた天板用横板（６）を固着し、
空洞部用横板（６）の板幅（Ｈ）と天板用横板（６）の板幅（Ｈ）を同一寸法とし、且つ，天板用横板（６，６）相互間の各隙間（７）を，隣接する空洞部用横板（６，６）相互間の各隙間（７）に連通させ、
空洞部用横板（６）の上面と天板用横板（６）の上面とを同一平面上に形成したことを特徴とする引出し付きベッド。
【請求項３】
前側ヘッドボード（１１）と後側フットボード（１２）との間の左右いずれか一方に引出し（２）を装着したボックス（１）を配置すると共に他方の端部にサイドレール（３）を配置し、
ボックス（１）とサイドレール（３）によってヘッドボード（１１）とフットボード（１２）とを相互に連結して基台（１５）を形成すると共にボックス（１）の奥壁が前後方向の縦鉛直仕切板（１ｂ）を形成し，仕切板（１ｂ）の一方を引出し用空間（１３）とし他方を空洞部（１４）とし、
サイドレール（３）の内壁上縁に固設した桟状受具（３ａ）の受面をボックス天板（１ａ）の上面と同一水平面上に配置し、
ボックス天板（１ａ）外隅に外側縁材（１ｃ）を配置し、
左右両側と中間の縦方向に平行させて載置した縦角材（５）上に所定寸法（Ｇ）の隙間（７）を介在させて前後に並べた横板（６）を固着して形成したスノコユニット（８）の，縦角材（５）の少なくとも２本をボックス天板（１ａ）上の左右に載せると共に他の縦角材５を桟状受具（３ａ）上に載せたことを特徴とする引出し付きベッド。
【考案の詳細な説明】
【技術分野】
【０００１】
本考案は、直方体状の基台の側面部に引出しを備えたベッドに関するものである。
【背景技術】
【０００２】
図１を参照して説明する。一般に、ベッドは、直方体状の基台１５にマットレス１６を上載して構成されるが、近年では、より多くの収納スペースを確保するために、基台１５の左右いずれかの側面に引出し２を設けたベッドが販売されている。
【０００３】
この引出し付きのベッドは、前側ヘッドボード１１と後側フットボード１２との間の左右いずれか一方に引出し２を装着したボックス１を配置すると共に他方の端部にサイドレール３を配置してボックス１とサイドレール３との間に空洞部１４を形成し、ボックス１とサイドレール３によってベッドボード１１とフットボード１２を相互に連結して基台１５を構成している。基台１５の片側部分に引出し２を設けた構成であるため、当該基台１５の天面のうち、引出し２が位置する片側部分はフラット状の天板１ａとし、残りの部分はスノコユニット８としている。
【考案の開示】
【考案が解決しようとする課題】
【０００４】
こうした従来の引出し付きのベッドにおいては、マットレス１６の下面部分が傷み易いといった問題がある。すなわち、基台１５の天面のうち、スノコユニット８とした部分は通気性に優れるので、その部分のマットレス１６は傷み難いが、通常の板状としたボックス天板１ａは通気性が悪いので、その部分のマットレス１６は湿気によって黴が発生するなどして痛み易い。
【０００５】
本考案はこうした問題に鑑み創案されたもので、マットレスに傷みが発生し難い引出し付きのベッドを提供することを課題とする。
【課題を解決するための手段】
【０００６】
図２乃至図７を参照して説明する。請求項１の考案に係る引出し付きベッドは、    前側ヘッドボード１１と後側フットボード１２との間の左右いずれか一方に引出し２を装着したボックス１を配置すると共に他方の端部にサイドレール３を配置し、ボックス１とサイドレール３によってヘッドボード１１とフットボード１２とを相互に連結して基台１５を形成すると共にボックス１の奥壁が前後方向の縦鉛直仕切板１ｂを形成し、仕切板１ｂの一方を引出し用空間１３とし他方を空洞部１４とし、ボックス１の天板１ａ上に、所定寸法Ｇの隙間７を介在させて前後に並べた天板用横板６を天板１ａ上に配置したことを特徴とするものである。
【０００７】
図２乃至図５に基づいて説明する。請求項２の考案に係る引出し付きベッドは、    前側ヘッドボード１１と後側フットボード１２との間の左右いずれか一方に引出し２を装着したボックス１を配置すると共に他方の端部にサイドレール３を配置し、ボックス１とサイドレール３によってヘッドボード１１とフットボード１２とを相互に連結して基台１５を形成すると共にボックス１の奥壁が前後方向の縦鉛直仕切板１ｂを形成し、仕切板１ｂの一方を引出し用空間１３とし他方を空洞部１４とし、仕切板１ｂの上縁とサイドレール３の上縁対向面にそれぞれ桟状受部材１ｄと桟状受具３ｄを配置し、桟状受部材１ｄと桟状受具３ａ上に載る左右の縦角材５に，所定寸法Ｇの隙間７を介在させて前後に並べた空洞部用横板６を横架固着し、ボックス１の天板１ａ上に、前記所定寸法Ｇの隙間７を介在させて前後に並べた天板用横板６を固着し、空洞部用横板６の板幅Ｈと天板用横板６の板幅Ｈを同一寸法とし、且つ、天板用横板６，６相互間の各隙間７を隣接する空洞部用横板６，６間の各隙間７に連通させ、空洞部用横板６の上面と天板用横板６の上面とを同一平面上に形成したことを特徴とするものである。
【０００８】
図６及び図７に基づき、図２乃至図５を参考にして説明する。請求項３の考案に係る引出し付きベッドは、前側ヘッドボード１１と後側フットボード１２との間の左右いずれか一方に引出し２を装着したボックス１を配置すると共に他方の端部にサイドレール３を配置し、ボックス１とサイドレール３によってヘッドボード１１とフットボード１２とを相互に連結して基台１５を形成すると共にボックス１の奥壁が前後方向の縦鉛直仕切板１ｂを形成し，仕切板１ｂの一方を引出し用空間１３とし他方を空洞部１４とし、サイドレール３の内壁上縁に固設した桟状受具３ａの受面をボックス天板１ａの上面と同一水平面上に配置し、ボックス天板１ａ外隅に外側縁材１ｃを配置し、左右両側と中間の縦方向に平行させて配置した縦角材５上に所定寸法Ｇの隙間７を介在させて前後に並べた横板６を固着して形成したスノコユニット８の、縦角材５の少なくとも２本をボックス天板１ａ上の左右に載せると共に他の縦角材５を桟状受具３ａ上に載せたことを特徴とするものである。
【考案の効果】
【０００９】
本考案に係る引出し付きベッドは、基台１５のボックス天板１ａに、所定寸法Ｇの隙間７を介在させて天板用横板６を配置したので、隙間によって通気性が生じ、その上に上載されるマットレス１６が腐食等によって傷むのを防止することができる。
【００１０】
また、ボックス天板１ａ上の隣接する横板６，６相互間の各隙間７を、空洞部１４上の隣接する横板６，６相互間の対応する隙間７を介して空洞部１３に連通しておけば、優れた通気性を持たすことが出来る。
【考案を実施するための最良の形態】
【００１１】
本考案に係る引出し付ベッドの第１の実施形態を図２乃至図５に基づいて説明する。前側ヘッドボード１１と後側フットボード１２との間の左右いずれか一方に引出し２を装着したボックス１を配置すると共に他方の端部にサイドレール３を配置してある。
【００１２】
ボックス１とサイドレール３によってヘッドボード１１とフットボード１２とを相互に連結して基台１５を形成すると共にボックス１の奥壁が前後方向の縦鉛直仕切板１ｂを形成し、仕切板１ｂの一方を引出し用空間１３とし他方を空洞部１４としている。
【００１３】
仕切板１ｂ上縁とサイドレール３の上縁対向面にそれぞれ桟状受部材１ｄと桟状受具３ａを配置してある。
【００１４】
桟状受部材１ｄと桟状受具３ａ上に載る左右の縦角材５に、隙間７を介在させて前後に並べた空洞部用横板６を横架固着し、また、ボックス１の天板１ａ上に、所定寸法Ｇの隙間７を介在させて前後の並べた天板用横板６を該天板１ａに固着してある。
【００１５】
空洞部用横板６の板幅Ｈと天板用横板６の板幅Ｈを同一寸法とし、且つ、天板用横板６，６相互間の各隙間７を隣接する空洞部用横板間６，６相互間の隙間７とを連通させてある。
【００１６】
空洞部用横板６の上面と天板用横板６の上面とを同一平面上に形成してある。
【００１７】
また、図６・図７に示す第２実施形態のものは、天板用横板６を配置し、天板１ａ上に２本の縦角材５を載せて該天板用横板６と空洞用横板６とを一体化したものである。
【実施例】
【００１８】
天板１ａ上に隙間７を介在させて横板６を並べて使用してみたところ、横板の無いベッドに比べて、マットレス１の下面側の湿気が大幅に減少した。
【図面の簡単な説明】
【００１９】
【図１】従来例に係る引出し付きベッドを示す斜視図である。
【図２】本発明に係る引出し付きベッドの第１の実施形態を示す斜視図である。
【図３】図２に示す引出し付きベッドの一部切欠左側面図である。
【図４】図２に示す引出し付きベッドの一部切欠正面図である。
【図５】図２に示す引出し付きベッドの分解平面図である（マットレスは省略）。
【図６】第２の実施形態の一部切欠正面図である。
【図７】図６に示す実施形態のマットレスを省略した平面図である。
【符号の説明】
【００２０】
１    ボックス
１ａ  天板
１ｂ  仕切板
１ｃ  外側縁材
１ｄ  桟状受部材
２    引出し
３    サイドレール
３ａ  桟状受具
５    縦角材
６    横板
７    隙間
８    スノコユニット
１０  引出し付きベッド
１１  ヘッドボード
１２  フットボード
１３  引出し用空間
１４  空洞部
１５  基台
１６  マットレス
Ｇ    隙間の寸法
Ｈ    板幅
【図１】
0003106818.tif 000003
【図２】
0003106818.tif 000004
【図３】
0003106818.tif 000005
【図４】
0003106818.tif 000006
【図５】
0003106818.tif 000007
【図６】
0003106818.tif 000008
【図７】
0003106818.tif 000009